(57)【特許請求の範囲】
【請求項１】
吸込口及び送風手段を有する本体部と、
第１駆動手段により軸線の周りに前記本体部に対して回転可能に配置された回転部と
を備え、
前記回転部の側部には、前記送風手段により前記吸込口から吸引された空気を前記軸線と交差する方向に吹き出す吹出口が設けられており、
前記吹出口から射出される前記空気の射出範囲が、前記軸線が延びる方向から見て基準位置から±１８０°の範囲を含み、
前記回転部は、前記本体部に固定された固定部に対し、前記軸線周りに回転可能に配置され、
前記固定部は、少なくとも１つの当接受部を有し、
前記回転部は、前記当接受部に対応する少なくとも１つの当接部を有し、
前記回転部が旋回限度まで回転した際、前記当接受部と前記当接部が当接して前記回転部の回転を規制し、
前記当接受部は、高さの異なる位置に第１当接受部と第２当接受部が設けられており、
前記当接部は、前記第１当接受部と同じ高さに配置された第１当接部と、前記第２当接受部と同じ高さに配置された第２当接部が設けられており、
前記回転部が旋回限度まで回転した際、前記第１当接受部と前記第１当接部が当接し、前記第２当接受部と前記第２当接部が当接して前記回転部の回転を規制し、
前記軸線が延びる方向から見て、前記第１当接受部と前記第２当接受部は所定間隔を
あけて設けられ、前記回転部が回転しても前記第１当接受部と前記第２当接部及び前記第２当接受部と前記第１当接部はそれぞれ接触しない、送風装置。
【発明の詳細な説明】
【技術分野】
【０００１】
本発明は、送風装置に関する。送風装置とは、吸込口から空気を吸引し、何らかの処理
を加え又は加圧以外の処理を加えることなく、吹出口から空気を吹き出す装置をいう。例えば、送風装置には、除湿機、加湿器、空気調和機、サーキュレータ、冷風機、温風機、
及び扇風機等が該当する。
【背景技術】
【０００２】
吹出口から風（空気）が吹き出す方向を変化させることができる除湿機や加湿器が従来から提案されている。例えば、この種の除湿機が、特許文献１に開示されている。
【０００３】
特許文献１の除湿機は、本体の上中央部に位置する蓋体が本体に対してモータにより回転可能に配置されている。蓋体は上方に開口する開口部を有し、この開口部には吹出ノズルが設けられている。吹出ノズルは上下動可能な機構を有している。蓋体と吹出ノズルの可動により、この除湿機は、広範囲に除湿した風を供給できる。
【０００４】
しかし、特許文献１の除湿機では、吹出ノズルよりも下方又は水平方向に風を直接供給できない。この除湿機は、回転する蓋体が中央に配置されており、その蓋体に吹出ノズルが設けられている。そのため、吹出ノズルは蓋体から上方へ向けて配置されており、下方又は水平方向へ吹出ノズルを可動させることができない。
【０００５】
また、風が吹き出す方向を変化させることができる加湿器が、特許文献２に開示されている。
【０００６】
特許文献２の加湿器は、本体ケース及び本体ケースの上部に配置された風向き変更部を有する。風向き変更部は、最外周部を構成しており、本体ケースに対して手動により回転可能である。また、風向き変更部は、その側面に加湿した空気を吹き出すためのスポット用吹出口を有する。
【０００７】
しかし、特許文献２の加湿器は、風向変更部の回転が手動によるため、ユーザが風向を変更しない場合、狭い範囲で一定の風向きの風を供給する。従って、効率的に部屋全体を隅々まで加湿できない。
【先行技術文献】
【特許文献】
【０００８】
【特許文献１】特開２００２−１８８８３０号公報
【特許文献２】特開２０１４−２０７０７号公報
【発明の概要】
【発明が解決しようとする課題】
【０００９】
本発明は、周方向（軸線を中心とする回転方向）に広範囲に様々に風向きを変えて風を供給できるのに加え、下方又は水平に方向に対しても、風を供給することを可能とする送風装置を提供することを課題とする。
【課題を解決するための手段】
【００１０】
本発明は、吸込口及び送風手段を有する本体部と、前記本体部の上方には、第１駆動手段により軸線の周りに前記本体部に対して回転可能に配置された回転部とを備え、前記回転部の側部には、前記送風手段により前記吸込口から吸引された空気を前記軸線と交差する方向に吹き出す吹出口が設けられている、送風装置を提供する。
【００１１】
この送風装置によれば、第１駆動手段により回転する回転部の側部に吹出口を配置したことにより、周方向（軸線を中心とする回転方向）に広範囲に様々に風向きを変えて風を供給できるのに加え、下方又は水平方向に対しても、風を供給することが可能となる。従って、室内の隅々まで風を供給でき、さらに特定の位置への風の供給も可能である。
【００１２】
前記送風装置は、前記吹出口から射出される前記空気の射出範囲が、前記軸線が延びる方向から見て基準位置から±１８０°の範囲を含むことが好ましい。
【００１３】
この送風装置によれば、吹出口からの空気（風）の射出範囲が±１８０°の範囲を含むことで、周方向の全範囲に風を供給でき、室内の隅々まで風を供給できる。
【００１４】
前記回転部は、前記本体部に固定された固定部に対し、前記軸線周りに回転可能に配置され、前記固定部は、少なくとも１つの当接受部を有し、前記回転部は、前記当接受部に対応する少なくとも１つの当接部を有し、前記回転部が旋回限度まで回転した際、前記当接受部と前記当接部が当接して前記回転部の回転を規制することが好ましい。
【００１５】
この送風装置によれば、新たに部品を追加することなく簡易な構成で風の射出範囲が基準位置から±１８０°（又は旋回限度まで）の範囲を含むような回転部の回転機構を実現でき、確実に回転部の回転を実質的に±１８０°（又は旋回限度）の範囲内に規制できる。ここで、実質的に±１８０°の範囲とは、当接受部と当接部の厚み分の誤差を考慮した範囲を示す。即ち、実際の回転角度範囲は、当接受部と当接部の厚み分、±１８０度の範囲よりも小さな範囲である。この場合でも、風の射出範囲は拡散して射出可能であることから実際の回転角度に比べて大きくなるため、±１８０度を含むことができる。
【００１６】
前記当接受部は、高さの異なる位置に第１当接受部と第２当接受部が設けられており、前記当接部は、前記第１当接受部と同じ高さに配置された第１当接部と、前記第２当接受部と同じ高さに配置された第２当接部が設けられており、前記回転部が旋回限度まで回転した際、前記第１当接受部と前記第１当接部が当接し、前記第２当接受部と前記第２当接部が当接して前記回転部の回転を規制することが好ましい。
【００１７】
この送風装置によれば、当接受部と当接部をそれぞれ２つずつ設けることで、それぞれが１つずつの場合と比べて、回転部が回転した際に当接部が当接受部を乗り越えてしまうことをより確実に防止できる。
【００１８】
前記吹出口には、第２駆動手段により駆動されるルーバーが配置されていることが好ましい。
【００１９】
この送風装置によれば、吹出口が第２駆動手段により可動するルーバーを有することで、吹出口から風を様々な向きに供給できる。特に、吹出口が回転部と共に回転することで広範囲に様々な風向きの風を供給できる。
【００２０】
前記吹出口内の両側には、空気処理部材が配置されていることが好ましい。
【００２１】
この送風装置によれば、空気の送風だけでなく吹き出す空気の処理も同時に可能である。空気の処理とは、除菌、消臭、及び芳香等を示す。また、吹出口内の両側に配置することで、吹出口の中央側から吹き出される流速の速い空気は、流速に影響を受けることなく吹出口を通過できる。従って、中央に空気処理部材を配置した場合と比べて空気の吹き出し量の低下を防止できる。
【発明の効果】
【００２２】
本発明によれば、第１駆動手段により回転する回転部の側部に吹出口を配置したことにより、周方向（軸線を中心とする回転方向）に広範囲に様々に風向きを変えて風を供給できるのに加え、下方又は水平方向に対しても、風を供給することが可能となる。
【図面の簡単な説明】
【００２３】
【図１】本発明の第１実施形態に係る除湿機の斜視図。
【図２】図１の除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６】図２のヘッド部の分解斜視図。
【図７】図６のヘッド部の一部を下側から見た斜視図。
【図８Ａ】基準位置から−１８０°の風の射出範囲を示すヘッド部の概念図。
【図８Ｂ】基準位置の風の射出範囲を示すヘッド部の概念図。
【図８Ｃ】基準位置から＋１８０°の風の射出範囲を示すヘッド部の概念図。
【図９Ａ】第１当接受部を示す収容ケース本体の斜視図。
【図９Ｂ】第２当接受部を示す収容ケース本体の斜視図。
【図１０Ａ】第１当接部を示すヘッド本体の斜視図。
【図１０Ｂ】第２当接部を示すヘッド本体の斜視図。
【図１１Ａ】送風部が実質的に−１８０°回転したときの回転本体部と収容ケース本体の吹出口から見た正面図。
【図１１Ｂ】送風部が基準位置にあるときの回転本体部と収容ケース本体の吹出口から見た正面図。
【図１１Ｃ】送風部が実質的に＋１８０°回転したときの回転本体部と収容ケース本体の吹出口から見た正面図。
【図１２Ａ】回転本体部に空気処理部材を配置した斜視図。
【図１２Ｂ】回転本体部に空気処理部材を配置した正面図。
【図１３】第２実施形態に係る除湿機の概念的な断面図。
【発明を実施するための形態】
【００２４】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２５】
（第１実施形態）
図１から図３Ｂは本発明の第１実施形態に係る除湿機１を示す。図４は除湿機１の概念的な断面図である。図５は除湿機１のシステム図である。
【００２６】
（全体構成）
図１及び図２を参照すると、除湿機１は、円柱形状の外観を有し、本体（本体部）１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００２７】
ヘッド部６００は、本体１００の軸線Ｌを中心として回転可能な送風部６４０を備える。送風部６４０は、図１に示す位置を基準（基準位置）として、収容ケース６８０回りを略±１８０度の範囲で周方向Ａに往復（首振り）回転できる。送風部６４０の吹出口６４２には可動式のルーバー６６０が配置されている。ルーバー６６０は、上下方向Ｂの設定範囲で揺動可能である。本実施形態では、ルーバー６６０を吹出口６４２に配置しているが、ルーバー６６０は必ずしも配置されていなくてもよい。
【００２８】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（送風手段）４００と、再生空気を循環させるための再生空気ファン４５０とを備える。
【００２９】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００３０】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００３１】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００３２】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ排出される。
【００３３】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００３４】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００３５】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸着）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。
【００３６】
（ヘッド部の詳細）
図６はヘッド部６００の分解斜視図である。図４及び図６に示すように、ヘッド部６００は、本体１００の上端に固定されたヘッドベース６１０と、ヘッドベース６１０に回転可能に配置された送風部（回転部）６４０と、送風部６４０をヘッドベース６１０との間に挟み込む収容ケース（固定部）６８０とを備える。
【００３７】
図６に示すように、ヘッドベース６１０は、いずれも平面視で概ね円環状の金属製のベース本体６２０と、樹脂製のベースカバー６３０とを備え、これらがネジ止めにより固定されている。ベース本体６２０は、実質的な中央に本体１００の送出部４１１に連通する連通口６２１を備える。ベースカバー６３０は、連通口６２１に連通する連通口６３１を備える。ベースカバー６３０には、連通口６３１の内周部から上向きに突出するボス６３２が設けられている。
【００３８】
図６に示すように、送風部６４０は、ヘッドベース６１０に載置された回転本体部６５０と、回転本体部６５０を覆う外装カバー６７０とを備え、これらがネジ止めにより固定されている。回転本体部６５０は、平面視円環状であり、ヘッドベース６１０に対して回転する駆動機構を備える。この駆動機構については後に詳細に説明する。
【００３９】
図６に示すように、回転本体部６５０は、連通口６２１，６３１に連通する平面視円形状の流入部６５１と、流入部６５１から径方向外向きに延びる吹出部６５２とを備える。これら流入部６５１及び吹出部６５２により、平面視Ｕ字形状の送風案内部６４１が形成されている。また、吹出部６５２の外側端の吹出口６４２に、可動式のルーバー６６０が配置されている。ルーバー６６０は、回転本体部６５０上に配置したステッピングモータ（第２駆動手段）６６１により上下方向に揺動される。本実施形態では、ルーバー６６０は、ステッピングモータ（第２駆動手段）６６１により可動するが、駆動手段により駆動しないルーバー６６０であってもよい。外装カバー６７０は、連通口６３１の上部に位置する円形状の第１開口部６７１と、ルーバー６６０を含む吹出口６４２を露出させる第２開口部６７２とを備える。第２開口部６７２は、外装カバー６７０の側部に設けられており、吹出口６４２から側方へ除湿した空気を吹き出すことができる。
【００４０】
収容ケース６８０は、ヘッドベース６１０に送風部６４０を配置し、送風部６４０の第１開口部６７１内に位置するボス６３２にネジ止めすることにより固定されている。収容ケース６８０は、送風部６４０のヘッドベース６１０に対する後述の軸線Ｌ周りの回転は許容するが送風部６４０の軸線Ｌ方向（図において上方）のヘッドベース６１０に対する変位を規制する。収容ケース６８０は、上端開口の収容ケース本体６８１と、収容ケース本体６８１を閉塞するカバーパネル６８２とを備える。収容ケース本体６８１の内部には、図示しない操作基板が配置されている。カバーパネル６８２には、操作基板のスイッチに対応する入力部が形成されている。
【００４１】
図７は、回転本体部６５０とヘッドベース６１０を下側から見た斜視図である。図７に示すように、回転本体部６５０は、底面側の全周にわたってギア部６５３を備える。ギア部６５３には、ギア６２４が噛合されている。ギア６２４は、ギア６２５，６２６を介してヘッドベース６１０の下部に配置した電動モータ（第１駆動手段）６２３により駆動される。電動モータ６２３の回転出力がギア６２６，６２５，６２４を介して６５３に伝達され、それによって図１に示す本体１００の軸線Ｌを中心として回転本体部６５０が回転される。
【００４２】
図７に示すように、回転本体部６５０の下側には複数の第１のコロ６９１が配置されている。第１のコロ６９１は、軸線Ｌから径方向に等しい距離に等間隔で３個配置されている。本実施形態では３個の第１のコロ６９１を採用したが、４個以上であってもよい。第１のコロ６９１は、回転本体部６５０のコロ取付部６５４から部分的に下方へ突出して取り付けられている。従って、回転本体部６５０が回転されると、第１のコロ６９１は回転本体部６５０の下方に配置されたベースカバー６３０の上面６３３（図６参照）上を回転し、回転本体部６５０とベースカバー６３０との間の摩擦抵抗を低減する。
【００４３】
また、図６に示すように、回転本体部６５０には、流入部６５１の上部に複数の第２のコロ６９２が配置されている。第２のコロ６９２は、軸線Ｌから等距離に流入部６５１の周囲に等間隔で６個配置されている。第２のコロ６９２は、その軸を軸線Ｌと同方向に配置されており、カバーパネル６８２の側面６８８に当接する。従って、回転本体部６５０が回転されると、第２のコロ６９２は、カバーパネル６８２の側面６８８上を回転し、回転本体部６５０とカバーパネル６８２との間の摩擦抵抗を低減する。また、送風部６４０の水平方向（軸線Ｌと交差する方向）の可動範囲を第２のコロ６９２とカバーパネル６８２の側面６８８とが当接することにより規制している。
【００４４】
図８Ａ〜Ｃは、風の射出範囲を示すヘッド部６００の概念図である。図８Ａ〜Ｃに示すように、送風部６４０は、周方向Ａにおいて風を吹き出す範囲を基準位置ＰＲから±１８０度を含むように回転できる。風を吹き出す範囲は、基準位置ＰＲから±１８０度の範囲内で調整可能であり、例えば基準位置ＰＲから±４５°の範囲にのみ風を吹き出すこともできる。このように狭い範囲で風を射出することで、効率的に特定範囲に風を供給できる。
【００４５】
送風部６４０は、基準位置ＰＲから周方向Ａに実質的に±１８０°を越えて回転しないように収容ケース６８０の収容ケース本体６８１に設けられた規制機構によって規制されている。以下、この規制機構について説明する。
【００４６】
図９Ａ，Ｂは、収容ケース本体６８１の斜視図である。図６及び図９Ａ，Ｂに示すように、収容ケース本体６８１は平面視円形状であり、基準位置ＰＲにあるときの吹出口６４２に対向する側に下方向に延びる平面視半円状の側壁６８３を有する。側壁６８３の外面には、軸線Ｌの径方向外側へ突出した第１当接受部６８４（図９Ａ参照）及び第２当接受部６８５（図９Ｂ参照）が設けられている。２つの当接受部６８４，６８５は、上下方向の異なる位置に配置されている。また、２つの当接受部６８４，６８５は、収容ケース本体６８１に対して軸線Ｌ周りに基準位置ＰＲから実質的に±９０°の位置にそれぞれ配置されている。
【００４７】
図１０Ａ，Ｂは、回転本体部６５０の斜視図である。図１０Ａ，Ｂに示すように、送風部６４０の回転本体部６５０では、流入部６５１の内面に軸線Ｌの径方向内側へ突出した第１当接部６８６（図１０Ａ参照）及び第２当接部６８７（図１０Ｂ参照）が設けられている。２つの当接部６８６，６８７は上下方向の異なる位置に配置されている。
【００４８】
図１１Ａ〜Ｃは、回転本体部６５０と収容ケース本体６８１の吹出口から見た正面図である。図１１Ｂは、送風部６４０が図８Ｂに示す基準位置にあるときの吹出口から見た正面図である。図１１Ｂに示すように、第１当接受部６８４と第１当接部６８６は上下方向に同じ位置に配置されている。同様に、第２当接受部６８５と第２当接部６８７も上下方向に同じ位置に配置されている。基準位置においては、第１当接部６８６は、第２当接受部６８５の上方に配置され、第２当接部６８７は第１当接受部６８４の下方に配置されており、それぞれ接触していない。
【００４９】
図１１Ａは、送風部６４０が図８Ａに示す位置にあるときの吹出口から見た正面図である。図１１Ａに示すように、送風部６４０が基準位置から周方向Ａに実質的に＋１８０°回転されると第１当接受部６８４と第１当接部６８６が当接し、第２当接受部６８５と第２当接部６８７が当接する。これにより、送風部６４０の回転は実質的に＋１８０°を越えないように規制されている。
【００５０】
図１１Ｃは、送風部６４０が図８Ｃに示す位置にあるときの吹出口から見た正面図である。図１１Ｃに示すように、送風部６４０が基準位置から周方向Ａに実質的に−１８０°回転されると第１当接受部６８４と第１当接部６８６が当接し、第２当接受部６８５と第２当接部６８７が当接する（図１１Ｃ参照）。これにより、送風部６４０の回転は実質的に−１８０°を越えないように規制されている。
【００５１】
当接受部６８４，６８５と当接部６８６，６８７がそれぞれ２つずつ設けられているのは、それぞれが１つの場合に比べて、当接部６８６，６８７が当接受部６８４，６８５を乗り越えることをより確実に防止できるためである。従って、当接受部６８４，６８５及び当接部６８６，６８７は、それぞれ１つずつ（第１当接受部６８４及び第１当接部６８６、又は、第２当接受部６８５及び第２当接部６８７）であってもよい。また本実施形態では、当接受部６８４，６８５と当接部６８６，６８７は、それぞれ突出形状で形成されているが、対応する形状であればこれに限定されない。例えば、当接部６８６，６８７が突出形状で、当接受部６８４，６８５がこれに対応する溝形状であってもよいし、当接受部６８４，６８５が突出形状で当接部６８６，６８７がこれに対応する溝形状であってもよい。
【００５２】
送風部６４０が基準位置ＰＲから周方向Ａに実質的に±１８０度回転し、送風部６４０の側部に上下方向Ｂに揺動可能なルーバー６６０が配置された吹出口６４２が設けられていることで、周方向Ａ及び上下方向Ｂに様々に風を吹き出すことができる。従って、広範囲に様々に風向きを変えて風を供給でき、室内の隅々まで風を供給可能であるとともに、特定の位置への風の供給も可能である。
【００５３】
図１２Ａ，Ｂは回転本体部６５０の斜視図及び正面図である。図１２Ａ，Ｂに示すように、吹出口６４２付近には空気処理部材６９０を配置してもよい。これにより処理空気の除湿だけでなく吹き出す空気の処理も同時に可能となる。空気の処理とは、除菌、消臭、及び芳香等を示す。空気処理部材６９０は、セラミック材を含有する多孔質状であり、空気の流れを完全に遮断するわけではないが、空気の流路上に存在する場合に流れの抵抗となる。空気処理部材６９０は、吹出口６４２の中央部を開口させるように両側に２つ配置されている。このように配置することで、吹出口６４２の中央側から吹き出される流速の速い処理空気は流速に影響を受けることなく吹出口６４２を通過できる。従って、中央に空気処理部材６９０を配置した場合と比べて処理空気の吹き出し量の低下を防止できる。
【００５４】
（第２実施形態）
図１３は、第２実施形態に係る除湿機１の概念的な断面図を示している。本実施形態の除湿機１は、ヘッド部６００の一部分以外の構成は図４の第１実施形態と同様である。従って、図４に示した構成と同様の部分については同様の符号を付して説明を省略する。
【００５５】
図１３に示すように、本実施形態の除湿機１は、第１実施形態と異なり、ヘッドベース６１０及び収容ケース６８０を備えていない。このため、本発明の回転部を構成する送風部６４０は、本実施形態では本体１００の上に配置され、本体１００に対して回転可能である。また、ヘッドベース６１０は、例えば本体１００の上面に一体に成形されていてもよい。
【００５６】
このようにすることで、本実施形態では第１実施形態と比べ、部品数を減らし簡易な構成を実現できる。
【００５７】
なお、除湿機１は、例えば室内を乾燥させることを目的とした室内空気を除湿対象とする他、衣類の乾燥を目的とした衣類の水分を除湿対象とするものや、これらの両方の目的を達成するものが含まれる。
【００５８】
また、除湿機を例に本発明を説明したが、本発明は、加湿器、空気調和機、サーキュレータ、冷風機、温風機、及び扇風機のような除湿機以外の送風装置にも適用できる。
【符号の説明】
【００５９】
１…除湿機（送風装置）
２…処理空気経路
２ａ〜２ｅ…処理空気経路の部分
３…再生空気経路
３ａ〜３ｅ…再生空気経路の部分
１００…本体（本体部）
１０１…ベース
１０２…基部
１０３…立壁部
１１０Ａ，１１０Ｂ…外装パネル
１１１Ａ，１１１Ｂ…補強パネル
１１２…吸込口
２００…除湿ロータ
２５０…ヒータ
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン（送風手段）
４１０…ファンケース
４１１…送出部
４５０…再生空気ファン
４６０…ファンケース
４６１…第１ダクト部
４６２…第２ダクト部
５００…ダクト部材
６００…ヘッド部
６１０…ヘッドベース
６２０…ベース本体
６２１，６３１…連通口
６２３…モータ（第１駆動手段）
６２４，６２５，６２６…ギア
６３０…ベースカバー
６３２…ボス
６３３…ベースカバー上面
６４０…送風部（回転部）
６４１…送風案内部
６４２…吹出口
６５０…回転本体部
６５１…流入部
６５２…吹出部
６５３…ギア部
６５４…コロ取付部
６６０…ルーバー
６６１…モータ（第２駆動手段）
６７０…外装カバー
６７１…第１開口部
６７２…第２開口部
６８０…収容ケース（固定部）
６８１…収容ケース本体
６８２…カバーパネル
６８３…側壁
６８４…第１当接受部
６８５…第２当接受部
６８６…第１当接部
６８７…第２当接部
６８８…カバーパネル側面
６９０…空気処理部材
６９１…第１のコロ
６９２…第２のコロ
７００…貯水部
７２０…貯水タンク
【図１】
0006297473.tif 000002
【図２】
0006297473.tif 000003
【図３Ａ】
0006297473.tif 000004
【図３Ｂ】
0006297473.tif 000005
【図４】
0006297473.tif 000006
【図５】
0006297473.tif 000007
【図６】
0006297473.tif 000008
【図７】
0006297473.tif 000009
【図８Ａ】
0006297473.tif 000010
【図８Ｂ】
0006297473.tif 000011
【図８Ｃ】
0006297473.tif 000012
【図９Ａ】
0006297473.tif 000013
【図９Ｂ】
0006297473.tif 000014
【図１０Ａ】
0006297473.tif 000015
【図１０Ｂ】
0006297473.tif 000016
【図１１Ａ】
0006297473.tif 000017
【図１１Ｂ】
0006297473.tif 000018
【図１１Ｃ】
0006297473.tif 000019
【図１２Ａ】
0006297473.tif 000020
【図１２Ｂ】
0006297473.tif 000021
【図１３】
0006297473.tif 000022